(57)【要約】【課題】対衛星攻撃用飛翔体を破壊することなく、従ってまた、スペースデブリを発生させることなく人工衛星を防御できるようにする。【解決手段】本発明は、防御しようとする人工衛星３０に向かう対衛星攻撃用飛翔体４０の探知情報を取得し、この取得した探知情報を人工衛星３０を管制する管制装置２０に送信する人工衛星防御システムであって、上記管制装置２０に、探知情報に基づき生成したデコイを放出させるための放出情報を人工衛星３０に送信する放出情報送信手段２４を設けているとともに、上記人工衛星３０に、管制装置から送信された放出情報に基づいて、その人工衛星から対衛星攻撃用飛翔体を逸らせるためのデコイを放出するデコイ放出手段３４を設けている。【選択図】図２
2008309445.tif 000002
【特許請求の範囲】
【請求項１】
防御しようとする人工衛星に向かう対衛星攻撃用飛翔体の探知情報を取得し、この取得した探知情報を人工衛星を管制する管制装置に送信する人工衛星防御システムであって、
上記管制装置に、探知情報に基づき生成したデコイを放出させるための放出情報を人工衛星に送信する放出情報送信手段を設けているとともに、
上記人工衛星に、管制装置から送信された放出情報に基づいて、その人工衛星から対衛星攻撃用飛翔体を逸らせるためのデコイを放出するデコイ放出手段を設けたことを特徴とする人工衛星防御システム。
【請求項２】
防御しようとする人工衛星に向かう対衛星攻撃用飛翔体の探知情報を取得し、この取得した人工衛星を管制する管制装置に送信する人工衛星防御システムであって、
上記防御しようとする人工衛星に随伴飛翔する随伴衛星を有しており、
上記管制装置に、探知情報に基づき生成したデコイを放出させるための放出情報を随伴衛星に送信する放出情報送信手段を設けているとともに、
上記随伴衛星に、管制装置から送信された放出情報に基づいて、人工衛星から対衛星攻撃用飛翔体を逸らせるためのデコイを放出するデコイ放出手段を設けたことを特徴とする人工衛星防御システム。
【請求項３】
デコイには、赤外線を放射する発熱ガスを排出する発熱ガス排出装置が搭載されていることを特徴とする請求項１又は２に記載の人工衛星防御システム。
【請求項４】
デコイは、発熱ガス排出装置を搭載したデコイ本体に、このデコイ本体を回転させる向きにした一又は複数対のガス排出ノズルを配設していることを特徴とする請求項３に記載の人工衛星防御システム。
【発明の詳細な説明】
【技術分野】
【０００１】
本発明は、対人工衛星ミサイル等の対衛星攻撃用飛翔体から人工衛星を防御する人工衛星防御システムに関する。
【背景技術】
【０００２】
この種の人工衛星防御システムとして、防御対象となる人工衛星に向けて飛翔する対人工衛星ミサイル等の対衛星攻撃用飛翔体に、運動エネルギー弾を衝突させ、あるいはレーザを照射することで破壊するという技術思想がある。
一例を示すと、例えば非特許文献１に記載されている人工衛星防御システムは、防御しようとする重要軍事衛星の周囲に、多くの小型ミサイルを搭載したＡＳＡＴ兵器迎撃の衛星を配置して、対人工衛星ミサイル等の衛星攻撃兵器に対して積極的な防御を行うというものである。
【非特許文献１】本堂武編集，「最新防衛技術大成」，株式会社Ｒ＆Ｄプランニング，昭和６０年２月１１日，ｐ８１‐８４
【発明の開示】
【発明が解決しようとする課題】
【０００３】
しかしながら、対人工衛星ミサイル等に運動エネルギー弾を衝突させ、あるいはレーザを照射して迎撃することによる防御は、いずれも対人工衛星ミサイル等の破壊を伴うものであるために、その破砕片がスペースデブリとなって防御しようとする人工衛星自体や他の人工衛星，宇宙船等を損傷させる虞がある。
【０００４】
そこで本発明は、対衛星攻撃用飛翔体を破壊することなく、従ってまた、スペースデブリを発生させることなく人工衛星を防御できる人工衛星防御システムの提供を目的としている。
【課題を解決するための手段】
【０００５】
上記目的を達成するための本発明は、防御しようとする人工衛星に向かう対衛星攻撃用飛翔体の探知情報を取得し、この取得した探知情報を人工衛星を管制する管制装置に送信する人工衛星防御システムであって、上記管制装置に、探知情報に基づき生成したデコイを放出させるための放出情報を人工衛星に送信する放出情報送信手段を設けているとともに、上記人工衛星に、管制装置から送信された放出情報に基づいて、その人工衛星から対衛星攻撃用飛翔体を逸らせるためのデコイを放出するデコイ放出手段を設けたことを特徴としている。
【０００６】
また、上記した人工衛星に随伴飛翔する随伴衛星を有するときには、上記管制装置に、探知情報に基づき生成したデコイを放出させるための放出情報を随伴衛星に向けて送信する放出情報送信手段を設けているとともに、上記随伴衛星に、管制装置から送信された放出情報に基づいて、人工衛星から対衛星攻撃用飛翔体を逸らせるためのデコイを放出するデコイ放出手段を設けた構成にしてもよい。
【発明の効果】
【０００７】
本発明によれば、防御しようとする人工衛星に向けて飛翔する対衛星攻撃用飛翔体の探知情報を取得し、この取得した探知情報に基づき生成した放出情報によりデコイを放出しているので、対衛星攻撃用飛翔体を人工衛星から逸らせることができるとともに、対衛星攻撃用飛翔体を破壊することなく人工衛星を防御でき、従ってまた、スペースデブリを発生させることがない。
【発明を実施するための最良の形態】
【０００８】
以下に、本発明を実施するための最良の形態について、図面を参照して説明する。図１は、本発明の第一の実施形態に係る人工衛星防御システムの概念図、図２は、管制装置と人工衛星の概略構成を示すブロック図、図３は、デコイの一例を示す斜視図である。
【０００９】
第一の実施形態に係る人工衛星防御システムＡは、探知衛星１０、管制装置２０及び防御しようとする人工衛星（以下、たんに「人工衛星」という。）３０を有して構成されている。
本実施形態における「人工衛星」には、無人や有人の各種宇宙航行体が含まれる。
【００１０】
探知衛星１０は所定の軌道上に投入されており、人工衛星３０に向けて飛翔する対衛星攻撃用飛翔体４０の探知情報を取得し、この取得した探知情報を管制装置２０に送信する機能を有している。
【００１１】
管制装置２０は人工衛星３０を管制する役割を担うものであり、本実施形態においては、地上Ｇに設置されている管制センタＫに配置されている。
図２に示すように、上記の管制装置２０は、主制御装置２１の入力側に、上記した探知衛星１０から送信される探知情報を含む各種の情報を受信する受信装置２２が、また、出力側に詳細を後述するデコイ放出装置３３に対してデコイ５０を放出させるための放出情報を含む各種管制情報を人工衛星３０に送信する送信装置２３が接続されている。
【００１２】
主制御装置２１は、対衛星攻撃用飛翔体４０の探知情報に基づいて、上記の放出情報を生成する機能を有している。
「放出情報」は、探知情報を解析することにより得られるものであり、これには、デコイ５０の放出指示信号、放出する向きを示す放出方向信号等が含まれている。また、デコイ５０を複数搭載しているときには、それらの放出数を示す放出数信号や各デコイの放出方向信号等を含んでいる。
本実施形態においては、主制御装置２１と送信装置２３とにより、探知情報に基づき生成したデコイを放出させるための放出情報を人工衛星３０に送信する放出情報送信手段２４を構成している。
【００１３】
人工衛星３０は、主制御装置３１の入力側に、上記した管制センタＫから送信された放出情報を含む各種情報を受信する受信装置３２が、また、出力側に当該人工衛星３０から対衛星攻撃用飛翔体４０を逸らせるためのデコイ５０を放出するデコイ放出装置３３が接続されている。
なお、図１，２には、１つのデコイ５０のみを示しているが２以上のデコイを装備してもよい。
【００１４】
デコイ放出装置３３は主制御装置３１の制御下にあり、上記した放出情報に含まれる放出指示信号や放出方向信号に基づいて、デコイ５０を外部に放出する機能を有しているものである。
デコイ５０は、図３に示すように、赤外線を発する発熱ガスを放出するための発熱ガス排出装置５１を搭載したデコイ本体５２に、このデコイ本体５２を軸線Ｏを中心として回転させる向きにした一対のガス排出ノズル５３，５３を配設している。
【００１５】
本実施形態においては、主制御装置３１とデコイ放出装置３３とにより、管制装置２０から送信された放出情報に基づいて、上記人工衛星３０から対衛星攻撃用飛翔体４０を逸らせるためのデコイ５０を放出するデコイ放出手段３４を構成している。
【００１６】
上述した構成からなる人工衛星防御システムＡの動作は、次のとおりである。
探知衛星１０によって、対人工衛星ミサイル等の対衛星攻撃用飛翔体４０が人工衛星３０に向けて飛翔していることが探知されたときには、その探知情報が管制装置２０に向けて送信される。なお、「対衛星攻撃用飛翔体４０が人工衛星３０に向けて飛翔していること」には、対衛星攻撃用飛翔体４０が人工衛星３０に向けて発射されたことを含む。
【００１７】
管制装置２０では、探知衛星１０から送信される探知情報を受信し、その探知情報に基づいて生成された放出情報を人工衛星３０に送信する。
人工衛星３０では、上記した管制装置２０から送信された放出情報を受信すると、その放出情報に含まれる各種の信号に基づいて、デコイ５０を放出する。
【００１８】
放出されたデコイ５０のガス排出ノズル５３，５３からは発熱ガスが噴出され、また、この発熱ガスの噴出によりデコイ５０自体が回転する。
すなわち、デコイ５０が回転しながら発熱ガスを放出することにより、上記対衛星攻撃用飛翔体４０と人工衛星３０との間に発熱ガス雲Ｐを形成する。これにより、対衛星攻撃用飛翔体４０に赤外線シーカが搭載されている場合であっても、人工衛星３０を識別不能にすることができ、これにより、対衛星攻撃用飛翔体４０の軌道をデコイ５０側に逸らせて命中を回避できる。また、対衛星攻撃用飛翔体４０を破壊しないので、スペースデブリを発生させることがない。
なお、上記の発熱ガス雲Ｐは、対衛星攻撃用飛翔体４０にイメージシーカが搭載されている場合にも有効であると考えられる。
【００１９】
次に、本発明の 第二の実施形態に係る人工衛星防御システムについて、上記した図２，３とともに図４を参照して説明する。図４は、本発明の第二の実施形態に係る人工衛星防御システムの概念図である。なお、探知衛星、対衛星攻撃用飛翔体、デコイについては、上記した第一の実施形態において説明したものと同等のものであるので、それと同一の符号を付して説明を省略する。
【００２０】
第二の実施形態に係る人工衛星防御システムＢは、既述した探知衛星１０、管制装置６０、防御しようとする人工衛星（以下、たんに「人工衛星」という。）８０、及び随伴衛星７０を有して構成されている。
【００２１】
管制装置６０は、上述したように人工衛星８０を管制する役割を担うものであり、本実施形態においては、地上Ｇに設置されている管制センタＫに配置されている。
上記の管制装置６０は、主制御装置６１の入力側に、上記した探知衛星１０から送信される探知情報を含む各種の情報を受信する受信装置６２が、また、出力側に上記したデコイ放出装置３３に対してデコイ５０を放出させるための放出情報を含む各種管制情報を随伴衛星７０に送信する送信装置６３が接続されている。
【００２２】
主制御装置６１は、対衛星攻撃用飛翔体４０の探知情報に基づいて、上記の放出情報を生成する機能を有している。
本実施形態において示す管制装置６０は、生成した放出情報を随伴衛星７０に送信する点で上記した管制装置２０と相違している。
【００２３】
人工衛星８０は、上記した第一の実施形態において説明した人工衛星３０と異なり、デコイ放出手段を設けていないものであり、例えば既に打上げられている人工衛星を含むものである。
【００２４】
随伴衛星７０は、上記の人工衛星８０の近傍において、当該人工衛星８０に随伴飛翔しているものであり、これには、主制御装置７１の入力側に、上記した管制センタＫから送信された放出情報を含む各種情報を受信する受信装置７２が、また、出力側に上述したデコイ放出装置３３が接続されている。
【００２５】
このような随伴衛星７０に、上記デコイ放出装置３３を設けていることにより、例えば防御しようとする機能を有しない既存の人工衛星８０を容易に防御することが可能になる。また、放出するデコイ５０がなくなったときには、別の随伴衛星７０を打ち上げることにより、人工衛星８０を継続して防御することもできる。
本実施形態においては、主制御装置７１とデコイ放出装置３３とにより、管制装置６０から送信された放出情報に基づいて、人工衛星８０から対衛星攻撃用飛翔体４０を逸らせるためのデコイ５０を放出するデコイ放出手段７３を構成している。
【００２６】
上述した構成からなる人工衛星防御システムＢの動作は、次のとおりである。
探知衛星１０によって、対人工衛星ミサイル等の対衛星攻撃用飛翔体４０が人工衛星８０に向けて飛翔していることが探知されたときには、その探知情報が管制装置６０に向けて送信される。
【００２７】
管制装置６０では、探知衛星１０から送信される探知情報を受信し、その探知情報に基づいて生成した放出情報を随伴衛星７０に送信する。
随伴衛星７０では、上記した管制装置６０から送信された放出情報を受信すると、その放出情報に含まれる各種の信号に基づいて、デコイ５０を放出する。
【００２８】
放出されたデコイ５０のガス排出ノズル５３，５３からは発熱ガスが噴出され、また、この発熱ガスの噴出によりデコイ５０自体が回転する。
すなわち、デコイ５０が回転しながら発熱ガスを放出することにより、上記対衛星攻撃用飛翔体４０と人工衛星８０との間に図示しない発熱ガス雲を形成する。これにより、対衛星攻撃用飛翔体４０に赤外線シーカやイメージシーカが搭載されている場合であっても、人工衛星８０を識別不能にすることができ、従ってまた、対衛星攻撃用飛翔体４０の軌道をデコイ５０側に逸らせて命中を回避できる。また、対衛星攻撃用飛翔体４０を破壊しないので、スペースデブリを発生させることがない。
【００２９】
本発明は上記した各実施形態に限るものではなく、次のような変形実施が可能である。
上述した各実施形態においては、防御しようとする人工衛星に向かう対衛星攻撃用飛翔体を探知して、この探知情報を人工衛星を管制する管制装置に送信する機能を探知衛星が有している例について説明したが、これに限るものではなく、図１，４に示すレーダ装置９０に、その機能を保有させてもよい。また、探知衛星１０とレーダ装置９０の双方を併用してもよい。
さらに、防御しようとする人工衛星に向かう対衛星攻撃用飛翔体を探知する機能を、当該人工衛星自体に設けてもよい。
【００３０】
上記した第二の実施形態においては、１つの随伴衛星を有するものを例として説明したが、２つ以上の随伴衛星を有する構成にしてもよい。この場合、放出情報送信手段は、上記探知情報に基づいて生成した、デコイを放出させるための放出情報をいずれかの又は全ての随伴衛星に向けて送信するようにする。
【図面の簡単な説明】
【００３１】
【図１】本発明の第一の実施形態に係る人工衛星防御システムの概念図である。
【図２】管制装置と人工衛星の概略構成を示すブロック図である。
【図３】デコイの一例を示す斜視図である。
【図４】本発明の第二の実施形態に係る人工衛星防御システムの概念図である。
【符号の説明】
【００３２】
１０        探知衛星
２０，６０  管制装置
２２，６２  放出情報送信装置
３０，８０  人工衛星
３２，７２  デコイ放出装置
４０        対衛星攻撃用飛翔体
５０        デコイ
５１        発熱ガス排出装置
５２        デコイ本体
５３        ガス排出ノズル
７０        随伴衛星
９０        レーダ装置
【図１】
2008309445.tif 000003
【図２】
2008309445.tif 000004
【図３】
2008309445.tif 000005
【図４】
2008309445.tif 000006